(57)【要約】【課題】ハンズフリー通話中にモータ動作音が送話音声の中にノイズとして混入してしまう不都合を防止できる「ハンズフリー通話時の送話ノイズ抑制装置および送話ノイズ抑制方法」を提供する。【解決手段】ハンズフリー通話を実行中か否かを判定するハンズフリー通話判定部２２と、ハンズフリー通話を実行中であると判定された場合、ＡＶＮユニット２０におけるモータ駆動を伴う動作（ノーズ開閉動作や記録メディア挿抜動作）を禁止状態とする動作制御部２３とを備え、ハンズフリー通話の実行中はＡＶＮユニット２０のモータ駆動動作を禁止することにより、ハンズフリー通話の実行中にモータ動作音が内蔵マイク１３に意図せず入力されてしまうことがなくなるようにする。【選択図】図１
2014232915.tif 000002
【特許請求の範囲】
【請求項１】
ハンズフリー通話を実行中か否かを判定するハンズフリー通話判定部と、
上記ハンズフリー通話判定部により上記ハンズフリー通話を実行中であると判定された場合、車載ユニットにおけるモータ駆動を伴う動作を禁止状態とする動作制御部とを備えたことを特徴とするハンズフリー通話時の送話ノイズ抑制装置。
【請求項２】
上記動作制御部により上記モータ駆動を伴う動作が禁止されているときに、上記モータ駆動を伴う動作の実行がユーザにより指示されたか否かを判定する指示判定部と、
上記指示判定部により上記モータ駆動を伴う動作の実行がユーザにより指示されたと判定された場合、その指示の内容を表す指示情報を一時的に記憶する指示情報記憶部とを更に備え、
上記動作制御部は、上記ハンズフリー通話が終了して上記モータ駆動を伴う動作の禁止状態を解除したときに、上記指示情報記憶部に記憶されている上記指示情報を読み出して上記ユーザにより指示された動作を実行することを特徴とする請求項１に記載のハンズフリー通話時の送話ノイズ抑制装置。
【請求項３】
車載ユニットにおけるモータ駆動を伴う動作の実行がユーザにより指示されたか否かを判定する指示判定部と、
上記指示判定部により上記モータ駆動を伴う動作の実行がユーザにより指示されたと判定されたとき、上記ハンズフリー通話を実行中か否かを判定するハンズフリー通話判定部と、
上記ハンズフリー通話判定部により上記ハンズフリー通話を実行中であると判定された場合、上記モータ駆動を伴う動作の実行を拒否する動作制御部とを備えたことを特徴とするハンズフリー通話時の送話ノイズ抑制装置。
【請求項４】
上記ハンズフリー通話判定部により上記ハンズフリー通話を実行中であると判定された場合、上記モータ駆動を伴う動作の実行に関する指示の内容を表す指示情報を一時的に記憶する指示情報記憶部を更に備え、
上記動作制御部は、上記ハンズフリー通話が終了したと上記ハンズフリー通話判定部により判定されたときに、上記指示情報記憶部に記憶されている上記指示情報を読み出して上記ユーザにより指示された動作を実行することを特徴とする請求項３に記載のハンズフリー通話時の送話ノイズ抑制装置。
【請求項５】
上記モータ駆動を伴う動作は、上記車載ユニットのノーズ開閉動作であることを特徴とする請求項１〜４の何れか１項に記載のハンズフリー通話時の送話ノイズ抑制装置。
【請求項６】
上記モータ駆動を伴う動作は、上記車載ユニットの記録メディア挿抜動作であることを特徴とする請求項１〜４の何れか１項に記載のハンズフリー通話時の送話ノイズ抑制装置。
【請求項７】
車載ユニットのハンズフリー通話判定部が、上記ハンズフリー通話を実行中か否かを判定する第１のステップと、
上記車載ユニットの動作制御部が、上記ハンズフリー通話判定部により上記ハンズフリー通話を実行中である判定された場合、上記車載ユニットにおけるモータ駆動を伴う動作を禁止する第２のステップとを有することを特徴とするハンズフリー通話時の送話ノイズ抑制方法。
【請求項８】
車載ユニットの指示判定部が、モータ駆動を伴う動作の実行がユーザにより指示されたか否かを判定する第１のステップと、
上記車載ユニットのハンズフリー通話判定部が、上記指示判定部により上記モータ駆動を伴う動作の実行がユーザにより指示されたと判定されたとき、上記ハンズフリー通話を実行中か否かを判定する第２のステップと、
上記車載ユニットの動作制御部が、上記ハンズフリー通話判定部により上記ハンズフリー通話を実行中であると判定された場合、上記モータ駆動を伴う動作の実行に関する指示の受付を拒否する第３のステップとを有することを特徴とするハンズフリー通話時の送話ノイズ抑制方法。
【発明の詳細な説明】
【技術分野】
【０００１】
本発明は、ハンズフリー通話時の送話ノイズ抑制装置および送話ノイズ抑制方法に関し、特に、ハンズフリー通話の送話音声の入力に使用するマイクが内蔵された車載ユニットに適用して好適なものである。
【背景技術】
【０００２】
従来、電話操作時の片手運転等を回避するために、ハンズフリー通話システムが提供されている。ハンズフリー通話システムは、マイク、スピーカおよび携帯電話機がハンズフリーユニットに接続されて構成される。そして、マイクからハンズフリーユニットに入力された送話音声が携帯電話機を通じて相手先に送られるとともに、相手先から携帯電話機を通じて受信した受話音声がハンズフリーユニットを介してスピーカから出力されるように構成されている。
【０００３】
ハンズフリーユニットは、ナビゲーション装置やオーディオ装置（以下、ＡＶＮユニットという）と共にセンターコンソールに設置されるのが一般的である。また、ハンズフリーユニットは、通話に使用するマイクやスピーカを内蔵しているタイプのものが多い。このタイプのハンズフリーユニットでは、ディスプレイ一体型（２ＤＩＮ）のＡＶＮユニットのノーズ開閉動作や、ＣＤやＤＶＤの挿抜動作などをハンズフリー通話中に行うと、ＡＶＮユニットでのモータ動作音がハンズフリーユニットの内蔵マイクに意図せず入力され、これが通話相手側にはノイズとして聞こえてしまうという問題があった。
【０００４】
この問題は、ハンズフリーユニットとＡＶＮユニットとが共にセンターコンソール内の近い場所に設置されるために起こるものである。したがって、ハンズフリーユニットとＡＶＮユニットとが一体的に１つのユニットとして構成された製品の場合にも、この問題は生じる。一体型のユニットの場合は、モータ動作音がユニット内部を伝導して内蔵マイクに入力されるため、ノイズはより大きなものとなってしまう。
【０００５】
なお、音声信号の出力レベルが一定で電話機側の操作でも音量を変えられないタイプのハンズフリー装置において、呼出音あるいは電話機のボタン操作音が通話中の音量に比べて大きすぎるためにそれらの音にユーザがびっくりしてしまうことを防ぐために、音声の出力とミュートとを一定周期で繰り返すことによって呼出音あるいは電話機のボタン操作音を減音するようにしたハンズフリー装置が提案されている（例えば、特許文献１参照）。
【先行技術文献】
【特許文献】
【０００６】
【特許文献１】特開２００１−２９８５２１号公報
【発明の概要】
【発明が解決しようとする課題】
【０００７】
しかしながら、上記特許文献１に記載の技術では、通話が開始される前に発生する呼出音やボタン操作音を減音することができるのみで、ハンズフリー通話中におけるモータ動作音が送話音声の中にノイズとして混入してしまうという問題は解決することができない。
【０００８】
本発明は、このような問題を解決するために成されたものであり、ハンズフリー通話中にモータ動作音が送話音声の中にノイズとして混入してしまう不都合を防止できるようにすることを目的とする。
【課題を解決するための手段】
【０００９】
上記した課題を解決するために、本発明では、ハンズフリー通話の送話音声の入力に使用するマイクが内蔵された車載ユニットにおいて、ハンズフリー通話の実行中にはモータ駆動を伴う動作（例えば、車載ユニットのノーズ開閉動作または記録メディア挿抜動作）を禁止するようにしている。
【発明の効果】
【００１０】
上記のように構成した本発明によれば、ハンズフリー通話の実行中に車載ユニットにおいてモータ駆動を伴う動作が行われることがないので、モータ動作音が内蔵マイクに意図せず入力されてしまうことがなくなる。これにより、ハンズフリー通話中にモータ動作音が送話音声の中にノイズとして混入してしまう不都合を防止することができる。
【図面の簡単な説明】
【００１１】
【図１】第１の実施形態によるハンズフリー通話時の送話ノイズ抑制装置を適用した車載ユニットの機能構成例を示すブロック図である。
【図２】第１の実施形態によるハンズフリー通話時の送話ノイズ抑制装置の動作例を示すフローチャートである。
【図３】第２の実施形態によるハンズフリー通話時の送話ノイズ抑制装置を適用した車載ユニットの機能構成例を示すブロック図である。
【図４】第２の実施形態によるハンズフリー通話時の送話ノイズ抑制装置の動作例を示すフローチャートである。
【発明を実施するための形態】
【００１２】
（第１の実施形態）
以下、本発明の一実施形態を図面に基づいて説明する。図１は、第１の実施形態によるハンズフリー通話時の送話ノイズ抑制装置を適用した車載ユニットの機能構成例を示すブロック図である。図１に示すように、第１の実施形態による車載ユニットは、ハンズフリーユニット１０とＡＶＮユニット２０とを備えて構成されている。
【００１３】
ハンズフリーユニット１０は、その機能構成として、通話制御部１１および通知部１２を備えている。また、ハンズフリーユニット１０は、ハンズフリー通話に使用するマイク１３およびスピーカ１４を内蔵している。このハンズフリーユニット１０は、センターコンソールに設置されている。
【００１４】
また、ＡＶＮユニット２０は、その機能構成として、モータ駆動動作部２１、ハンズフリー通話判定部２２、動作制御部２３および指示判定部２４を備えている。このＡＶＮユニット２０もセンターコンソールに設置されている。第１の実施形態によるハンズフリー通話時の送話ノイズ抑制装置は、ＡＶＮユニット２０に実装されている。
【００１５】
ハンズフリーユニット１０の通話制御部１１は、ハンズフリー通話を制御する。すなわち、通話制御部１１は、マイク１３から入力された送話音声を携帯電話機３０を通じて相手先に送信するとともに、相手先から携帯電話機３０を通じて受信した受話音声をスピーカ１４から出力する。
【００１６】
通知部１２部は、通話制御部１１によりハンズフリー通話を実行中か否かをＡＶＮユニット２０に通知する。具体的には、通話制御部１１は、発信のための操作が行われたとき、および、着信に対して応答のための操作が行われたときに、通話を開始する。この場合に通知部１２は、通話が開始されたことをＡＶＮユニット２０に通知する。また、通話制御部１１は、自分または相手側で通話を終了するための操作が行われたときに、通話を終了する。この場合に通知部１２は、通話が終了したことをＡＶＮユニット２０に通知する。
【００１７】
ＡＶＮユニット２０のモータ駆動動作部２１は、ＡＶＮユニット２０におけるモータ駆動を伴う動作（以下、モータ駆動動作という）を実行する。モータ駆動動作は、例えば、ノーズ開閉動作やＣＤやＤＶＤなどの記録メディア挿抜動作である。
【００１８】
ハンズフリー通話判定部２２は、ハンズフリーユニット１０の通知部１２からの通知に基づいて、ハンズフリー通話を実行中か否かを判定する。具体的には、ハンズフリー通話判定部２２は、通話を開始した旨の通知を受けてから、通話を終了した旨の通知を受けるまでの間、ハンズフリー通話を実行中であると判定する。
【００１９】
動作制御部２３は、ハンズフリー通話判定部２２によりハンズフリー通話を実行中であると判定された場合、モータ駆動動作部２１によるモータ駆動動作を禁止状態に設定する。具体的には、動作制御部２３は、モータ駆動動作を禁止するか許可するかを表すフラグの値を「禁止」に設定する。一方、ハンズフリー通話判定部２２によりハンズフリー通話を実行中ではないと判定された場合、動作制御部２３は、フラグの値を「許可」に設定する。
【００２０】
指示判定部２４は、モータ駆動動作の実行がユーザにより指示されたか否かを判定する。上述の動作制御部２３は、指示判定部２４によりモータ駆動動作の実行がユーザにより指示されたと判定されたとき、フラグが「禁止」に設定されているか否かを判定する。そして、フラグが「禁止」に設定されている場合、動作制御部２３は、モータ駆動動作部２１に対してモータ駆動動作の実行命令を出力せず、指示を無視する。
【００２１】
図２は、上記のように構成した第１の実施形態によるハンズフリー通話時の送話ノイズ抑制装置の動作例を示すフローチャートである。図２に示すフローチャートは、ＡＶＮユニット２０の電源がオンにされたときに開始する。
【００２２】
まず、ハンズフリー通話判定部２２は、ハンズフリーユニット１０の通知部１２からの通知に基づいて、ハンズフリー通話が開始されたか否かを判定する（ステップＳ１）。ここで、ハンズフリー通話がまだ開始されていないと判定された場合、処理はステップＳ４に遷移する。
【００２３】
一方、ハンズフリー通話判定部２２によりハンズフリー通話が開始されたと判定された場合、動作制御部２３は、モータ駆動動作を禁止するか許可するかを表すフラグの値を「禁止」に設定することにより、モータ駆動動作部２１によるモータ駆動動作を禁止状態にする（ステップＳ２）。
【００２４】
動作制御部２３によりモータ駆動動作が禁止状態に設定された場合、モータ駆動動作の実行がユーザにより指示されたとしても、動作制御部２３は、モータ駆動動作部２１に対してノーズ開閉動作や記録メディア挿抜動作の実行命令を出力せず、モータ駆動動作の実行指示を無視する。
【００２５】
その後、ハンズフリー通話判定部２２は、ハンズフリーユニット１０の通知部１２からの通知に基づいて、ハンズフリー通話が終了したか否かを判定する（ステップＳ３）。ここで、ハンズフリー通話がまだ終了していないと判断された場合、ステップＳ３の判定処理を繰り返す。
【００２６】
一方、ハンズフリー通話判定部２２によりハンズフリー通話が終了したと判定された場合、動作制御部２３は、モータ駆動動作を禁止するか許可するかを表すフラグの値を「許可」に設定することにより、モータ駆動動作部２１によるモータ駆動動作の禁止状態を解除する（ステップＳ４）。
【００２７】
その後、ハンズフリー通話判定部２２は、ＡＶＮユニット２０の電源がオフにされたか否かを判定する（ステップＳ５）。ＡＶＮユニット２０の電源がオフにされていなければ、処理はステップＳ１に戻る。一方、ＡＶＮユニット２０の電源がオフにされた場合、図２に示すフローチャートの処理は終了する。
【００２８】
以上詳しく説明したように、第１の実施形態では、ハンズフリー通話の実行中にはＡＶＮユニット２０のモータ駆動動作を禁止するようにしている。このように構成した第１の実施形態によれば、ハンズフリー通話の実行中にＡＶＮユニット２０においてモータ駆動動作が行われることがないので、ＡＶＮユニット２０の近く（同じセンターコンソール内）に設置されたハンズフリーユニット１０の内蔵マイク１３にモータ動作音が意図せず入力されてしまうことがなくなる。これにより、ハンズフリー通話中にモータ動作音が送話音声の中にノイズとして混入してしまう不都合を防止することができる。
【００２９】
なお、上記第１の実施形態では、ハンズフリー通話が実行中か否かを判定し、実行中の場合に動作制御部２３がフラグの値を「禁止」に設定する。そして、その禁止状態のときにモータ駆動動作の実行が指示されても無視するという例について説明したが、本発明はこれに限定されない。すなわち、あらかじめフラグの値を「禁止」に設定しておく例には限定されない。
【００３０】
例えば、指示判定部２４によりモータ駆動動作の実行がユーザにより指示されたと判定されたとき、ハンズフリー通話が実行中か否かをハンズフリー通話判定部２２がハンズフリーユニット１０に問い合わせて判定する。そして、ハンズフリー通話判定部２２によりハンズフリー通話が実行中であると判定された場合に、動作制御部２３がモータ駆動動作の実行を拒否する（モータ駆動動作部２１に対してノーズ開閉動作や記録メディア挿抜動作の実行命令を出力しない）ようにする。
【００３１】
（第２の実施形態）
次に、本発明による第２の実施形態を図面に基づいて説明する。図３は、第２の実施形態によるハンズフリー通話時の送話ノイズ抑制装置を適用した車載ユニットの機能構成例を示すブロック図である。図３に示すように、第２の実施形態による車載ユニットも、ハンズフリーユニット１０とＡＶＮユニット２０とを備えて構成されている。
【００３２】
なお、図３において、図１に示した符号と同一の符号を付したものは同一の機能を有するものであるので、ここでは重複する説明を省略する。図３に示すように、第２の実施形態によるＡＶＮユニット２０は、図１に示した構成に加えて、指示情報記憶部２５を更に備えている。また、図１に示した動作制御部２３に代えて動作制御部２３’を備えている。
【００３３】
動作制御部２３’は、フラグの値を「禁止」に設定してＡＶＮユニット２０のモータ駆動動作を禁止状態としているときに、指示判定部２４によりモータ駆動動作の実行がユーザにより指示されたと判定された場合、その指示の内容（ノーズ開閉動作や記録メディア挿抜動作）を表す指示情報を指示情報記憶部２５に一時的に記憶させる。
【００３４】
動作制御部２３’は、その後フラグの値を「禁止」から「許可」に変更してモータ駆動動作の禁止状態を解除したときに、指示情報記憶部２５に記憶されている指示情報を読み出して、禁止状態の設定中にユーザにより指示された動作を実行する。このようにすれば、ユーザは、通話の終了後にノーズ開閉動作や記録メディア挿抜動作の実行指示を改めて行う必要がなくなる。
【００３５】
図４は、上記のように構成した第２の実施形態によるハンズフリー通話時の送話ノイズ抑制装置の動作例を示すフローチャートである。図４に示すフローチャートは、ＡＶＮユニット２０の電源がオンにされたときに開始する。
【００３６】
まず、ハンズフリー通話判定部２２は、ハンズフリーユニット１０の通知部１２からの通知に基づいて、ハンズフリー通話が開始されたか否かを判定する（ステップＳ１１）。ここで、ハンズフリー通話がまだ開始されていないと判定された場合、処理はステップＳ１６に遷移する。
【００３７】
一方、ハンズフリー通話判定部２２によりハンズフリー通話が開始されたと判定された場合、動作制御部２３’は、モータ駆動動作を禁止するか許可するかを表すフラグの値を「禁止」に設定することにより、モータ駆動動作部２１によるモータ駆動動作を禁止状態にする（ステップＳ１２）。
【００３８】
次に、指示判定部２４は、モータ駆動動作の実行がユーザにより指示されたか否かを判定する（ステップＳ１３）。モータ駆動動作の実行が指示されていない場合、処理はステップＳ１５に遷移する。一方、モータ駆動動作の実行が指示された場合、動作制御部２３’は、その指示の内容を表す指示情報を指示情報記憶部２５に一時的に記憶させる（ステップＳ１４）。
【００３９】
その後、ハンズフリー通話判定部２２は、ハンズフリーユニット１０の通知部１２からの通知に基づいて、ハンズフリー通話が終了したか否かを判定する（ステップＳ１５）。ここで、ハンズフリー通話がまだ終了していないと判定された場合、処理はステップＳ１３に戻る。
【００４０】
一方、ハンズフリー通話判定部２２によりハンズフリー通話が終了したと判定された場合、動作制御部２３’は、フラグの値を「許可」に設定することにより、モータ駆動動作部２１によるモータ駆動動作の禁止状態を解除する（ステップＳ１６）。
【００４１】
さらに、動作制御部２３’は、指示情報記憶部２５に指示情報が記憶されているか否かを判定する（ステップＳ１７）。指示情報記憶部２５に指示情報が記憶されている場合、動作制御部２３’は、指示情報記憶部２５に記憶されている指示情報を読み出して、その指示情報により示される動作を実行する（ステップＳ１８）。このとき動作制御部２３’は、指示情報記憶部２５に記憶されている指示情報を削除する（ステップＳ１９）。
【００４２】
その後、ハンズフリー通話判定部２２は、ＡＶＮユニット２０の電源がオフにされたか否かを判定する（ステップＳ２０）。ＡＶＮユニット２０の電源がオフにされていなければ、処理はステップＳ１１に戻る。一方、ＡＶＮユニット２０の電源がオフにされた場合、図４に示すフローチャートの処理は終了する。
【００４３】
なお、この第２の実施形態は、動作制御部２３’においてフラグを設定しない上述の変形例にも適用することが可能である。
また、上記第１および第２の実施形態では、ハンズフリーユニット１０とＡＶＮユニット２０とが別体である場合について説明したが、本発明はこれに限定されない。すなわち、ハンズフリーユニット１０とＡＶＮユニット２０とが一体的に１つのユニットとして構成されている場合にも、本発明を適用することが可能である。
【００４４】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００４５】
１０  ハンズフリーユニット
２０  ＡＶＮユニット
２１  モータ駆動動作部
２２  ハンズフリー通話判定部
２３，２３’  動作制御部
２４  指示判定部
２５  指示情報記憶部
【図１】
2014232915.tif 000003
【図２】
2014232915.tif 000004
【図３】
2014232915.tif 000005
【図４】
2014232915.tif 000006